(57)【要約】【課題】  パーツの領域数に基づいた少ないパーツデータのセットで、領域毎に様々な色を表示でき、メモリーの使用量も抑える電気泳動表示装置を提供する。【解決手段】転送データに基づいて、ｎ個の領域から成る表示物であって領域ごとに２ｍ階調で表示されるパーツと、パーツの背景とを含む画像を表示する電気泳動表示装置であって、ｍ回分の転送データを生成するＶＲＡＭ３０と、画像に表示されるパーツを指定するパーツデータと、画像に表示される背景を指定する背景データと、を保存する不揮発性メモリー２０と、不揮発性メモリーからパーツデータ、背景データをＶＲＡＭに出力させて、ＶＲＡＭに、パーツデータと背景データ又は中間データとの合成を実行させることで転送データを生成させる制御部６３と、を含み、不揮発性メモリーは、２値のデータであって、互いに異なるパーツデータをｎ種類含む。【選択図】図５
2012220863.tif 000002
【特許請求の範囲】
【請求項１】
第１色と第２色とを基本色とし、転送データに基づいて、ｎ個の領域から成る表示物であって前記領域ごとに２ｍ階調で表示されるパーツと、前記パーツの背景とを含む画像を表示する電気泳動表示装置であって、
ｍ回分の前記転送データを生成するＶＲＡＭと、
前記画像に表示される前記パーツを指定するパーツデータと、前記画像に表示される前記背景を指定する背景データと、を保存する不揮発性メモリーと、
前記不揮発性メモリーから前記パーツデータ、前記背景データを前記ＶＲＡＭに出力させて、前記ＶＲＡＭに、前記パーツデータと前記背景データ又は中間データとの合成を実行させることで前記転送データを生成させる制御部と、を含み、
前記不揮発性メモリーは、
第１の値と第２の値とで表される２値のデータであって、互いに異なる前記パーツデータをｎ種類含む電気泳動表示装置。
【請求項２】
請求項１に記載の電気泳動表示装置において、
前記制御部は、
前記ＶＲＡＭに、前記合成において、前記パーツデータの前記第１の値の部分は透過させて、前記パーツデータの前記第２の値の部分は、前記第１色又は前記第２色を割り当てさせる電気泳動表示装置。
【請求項３】
請求項１乃至２のいずれかに記載の電気泳動表示装置において、
前記制御部は、
ｎが３以上の場合に、前記ＶＲＡＭに、前記パーツデータと前記背景データ又は中間データとの合成をｎ−１回実行させる電気泳動表示装置。
【請求項４】
請求項１乃至３のいずれかに記載の電気泳動表示装置において、
前記制御部は、
ｎが２以下の場合に、前記ＶＲＡＭに、前記パーツデータと前記背景データ又は中間データとの合成をｎ回実行させる電気泳動表示装置。
【請求項５】
請求項１乃至４のいずれかに記載の電気泳動表示装置において、
前記不揮発性メモリーは、
ｎが３以上の場合に、ｎ−２の領域を前記第1の値とし、残りを前記第２の値とする前記パーツデータを含む電気泳動表示装置。
【請求項６】
請求項１乃至５のいずれかに記載の電気泳動表示装置において、
前記不揮発性メモリーは、
前記第1の値で表されるパーツの背景を含む前記パーツデータを含む電気泳動表示装置。
【請求項７】
請求項１乃至６のいずれかに記載の電気泳動表示装置を含む電子機器。
【発明の詳細な説明】
【技術分野】
【０００１】
本発明は、電気泳動表示装置、電子機器等に関する。
【背景技術】
【０００２】
近年、電源を切っても画像を保持できるメモリー性を有する表示パネルが開発され、電子時計等にも使用されている。メモリー性を有する表示パネルとしては、電気泳動表示装置（Electrophoretic Display）すなわち電気泳動表示装置や、メモリー性液晶表示装置等が知られている。
【０００３】
電気泳動表示装置は、視野角の広さ、コントラストの高さ、柔軟性、反射型ディスプレイであるゆえの低消費電力などの優れた利点がある。
【０００４】
電気泳動表示装置は、例えば電気泳動粒子を白色、黒色とする二粒子系マイクロカプセル型の電気泳動方式のものがある。このとき、基本色である白色、黒色の少なくとも２色を表示できる。
【０００５】
そして、このような電気泳動表示装置は、特許文献１に記載されているように駆動パルスの制御によって中間色を表示することが可能である。
【先行技術文献】
【特許文献】
【０００６】
【特許文献１】特開２０１０−２１７２８２号公報
【発明の概要】
【発明が解決しようとする課題】
【０００７】
ここで、駆動パルスを制御する駆動制御信号は、ＶＲＡＭ（Video RAM）上で作成された転送データに基づいて生成される。転送データとは、ＶＲＡＭで生成される画像データであって、転送単位である１フレームで分割されたものを意味する。
【０００８】
このとき、データ量を抑えるために、転送データに用いる背景データとパーツデータとを分けて用意し、これらを合成することが一般に行われる。パーツとは、画像において表示したい表示物（オブジェクト）であって背景以外のものをいう。これらを合成することで、背景の自由な位置にパーツを配置できる。
【０００９】
しかし、合成により表示したい領域の背景データが失われることを防ぐため、背景データに対してパーツの形状を単一色（例えば白）で塗りつぶしたパーツデータを最初に合成することが行われる。したがって、パーツの種類が増えると、種類毎に単一色のパーツデータを用意する必要があり、パーツデータを保存する記憶部（例えばフラッシュメモリー）の使用量が増えてしまう。
【００１０】
また、パーツが複数の領域に分かれており、領域毎の表示色に複数の組み合わせがある場合には、合成に用いるパーツデータも指数関数的に増えていくことになる。そのため、表示階調が多くなると、領域毎の表示色の組み合わせが増加し、フラッシュメモリーの使用量が増えてしまう。
【００１１】
したがって、中間色を表示する電気泳動表示装置などでは、フラッシュメモリーの使用量が増大する可能性があった。
【００１２】
本発明はこのような問題点に鑑みてなされたものである。本発明のいくつかの態様によれば、パーツの形状を単一色で塗りつぶしたパーツデータを含まない、パーツの領域数に基づいた少ないパーツデータのセットで、領域毎に様々な色を表示でき、メモリーの使用量も抑える電気泳動表示装置を提供する。
【００１３】
なお、以下において画像データはフレーム単位で合成・読み出しが行われる。そのため、画像データに代えて転送データの用語を用いて説明する。
【課題を解決するための手段】
【００１４】
（１）本発明は、第１色と第２色とを基本色とし、転送データに基づいて、ｎ個の領域から成る表示物であって前記領域ごとに２ｍ階調で表示されるパーツと、前記パーツの背景とを含む画像を表示する電気泳動表示装置であって、ｍ回分の前記転送データを生成するＶＲＡＭと、前記画像に表示される前記パーツを指定するパーツデータと、前記画像に表示される前記背景を指定する背景データと、を保存する不揮発性メモリーと、前記不揮発性メモリーから前記パーツデータ、前記背景データを前記ＶＲＡＭに出力させて、前記ＶＲＡＭに、前記パーツデータと前記背景データ又は中間データとの合成を実行させることで前記転送データを生成させる制御部と、を含み、前記不揮発性メモリーは、第１の値と第２の値とで表される２値のデータであって、互いに異なる前記パーツデータをｎ種類含む。
【００１５】
本発明によれば、パーツの領域数と同じｎ種類パーツデータのセットだけで、領域毎に様々な色を表示できる。なお、領域とは互いに異なる表示色を使用できるパーツの部分をいう。このとき、ｎ種類のパーツデータを不揮発性メモリーに保存するだけでよいので、メモリーの使用量も抑えることができる。
【００１６】
ここで、第１色と第２色の基本色とは、最低限表示できる２色のことである。例えば第１色が白色であって、第２色が黒色であってもよい。また、パーツ（表示物）は図形であってもよいし、文字、記号、数字等であっても、これらの組み合わせであってもよい。
【００１７】
ｍとｎは共に１以上の整数である。ｎはパーツにおける前記の領域の数である。そして、ｍは階調数を定める。ｍ≧２のときには中間色表示が可能である。ｍ＝２の場合には、例えば、白色、ライトグレー、ダークグレー、黒色の４色（＝２ｍ）の表示が可能になる。
【００１８】
本発明の電気泳動表示装置は、ｍ回分の転送データを生成するＶＲＡＭを含む。転送データはパーツデータと背景データとの合成、パーツデータと中間データとの合成によって生成される。ここで、中間データとは、直前の合成によって得られた、最終でない転送データを意味する。そして、転送データにおける１回分とは、１フレームの画像を表示させるデータ量を意味する。制御部からの指示により、ＶＲＡＭは転送データをｍ回生成する。
【００１９】
ここで、パーツデータは第１の値（例えば０）と第２の値（例えば１）とで表される２値のデータである。背景データも同じ２値のデータであるが、第１の値のみ、第２の値のみを含むこともあり得る。転送データは、パーツデータと背景データとの合成で得られるため、第１の値と第２の値とを含む２値のデータとなる。そして、転送データは、表示される画像の画素のそれぞれに対して第１の値、又は第２の値を指定する。
【００２０】
例えば、制御部は、転送データに基づいて駆動パルスを制御する駆動制御信号を生成して、それぞれの画素に印加する電界を変化させることで所望の画像を表示させる。そして、ｍ回分のＶＲＡＭの転送データを順に使用することで、２ｍ階調の画像を表示させる。
【００２１】
（２）この電気泳動表示装置において、前記制御部は、前記ＶＲＡＭに、前記合成において、前記パーツデータの前記第１の値の部分は透過させて、前記パーツデータの前記第２の値の部分は、前記第１色又は前記第２色を割り当てさせてもよい。
【００２２】
（３）この電気泳動表示装置において、前記制御部は、ｎが３以上の場合に、前記ＶＲＡＭに、前記パーツデータと前記背景データ又は中間データとの合成をｎ−１回実行させてもよい。
【００２３】
（４）この電気泳動表示装置において、前記制御部は、ｎが２以下の場合に、前記ＶＲＡＭに、前記パーツデータと前記背景データ又は中間データとの合成をｎ回実行させてもよい。
【００２４】
（５）この電気泳動表示装置において、前記不揮発性メモリーは、ｎが３以上の場合に、ｎ−２の領域を前記第1の値とし、残りを前記第２の値とする前記パーツデータを含んでもよい。
【００２５】
これらの発明によれば、ｎ種類のパーツデータだけを使用してメモリーの使用量を抑えつつ、様々な組み合わせの階調表示を可能にする。
【００２６】
例えば、制御部は、ＶＲＡＭに、合成において、パーツデータの第１の値（例えば０）の部分は背景データ（又は中間データ）を透過させ、パーツデータの第２の値（例えば１）の部分は、第１色又は第２色を割り当てさせてもよい。このことで、パーツの領域毎の様々な色の組み合わせをｎ種類のパーツデータだけで実現できる。
【００２７】
なお、背景データについては、画像の最背面に位置することから透過を割り当てる必要はない。例えば、第１の値（例えば０）の部分は白色で、第２の値（例えば１）の部分は黒色にしてもよいし、逆でもよい。
【００２８】
また、例えば制御部は、ｎが３以上の場合に、ＶＲＡＭに、前記パーツデータと前記背景データ又は中間データとの合成をｎ−１回実行させてもよい。ｎが２以下の場合には、合成をｎ回実行させてもよい。ｎ種類のパーツデータだけを使用しても、合成回数を大幅に増加させることなく転送データの生成が可能である。
【００２９】
また、不揮発性メモリーに含まれるパーツデータは、ｎ−２の領域を前記第1の値（例えば０）とし、残りを前記第２の値（例えば１）としたものであってもよい。このようなパーツデータを選択して使用することにより、パーツの領域毎の様々な色の組み合わせをｎ種類のパーツデータだけで実現できる。
【００３０】
（６）この電気泳動表示装置において、前記不揮発性メモリーは、前記第1の値で表されるパーツの背景を含む前記パーツデータを含んでもよい。
【００３１】
本発明によれば、パーツデータはパーツを表す部分とパーツの背景とを含む。パーツデータは、例えば長方形等の多角形の形状で用意することができる。そのため、例えば座標を用いた合成が容易になる。このとき、パーツの背景は第１の値で表される。例えば第１の値を透過に対応させることで、様々な形状のパーツについてのパーツデータを作成できる。
【００３２】
（７）本発明は、前記電気泳動表示装置を含む電子機器であってもよい。
【００３３】
本発明の電子機器は、パーツの領域数とおなじｎ種類パーツデータのセットだけで、領域毎に様々な色を表示でき、メモリーの使用量も抑えることができる電気泳動表示装置を含む。そのため、表現力を損なうことなく、メモリーの使用量が少ないことでコストも抑えられる電子機器を提供できる。
【図面の簡単な説明】
【００３４】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】ｍ＝２の場合の階調を説明するテーブル。
【図５】第１実施形態における制御部、不揮発性メモリー、ＶＲＡＭのブロック図。
【図６】図６（Ａ）〜図６（Ｂ）は比較例の転送データの合成方法と表示例を示す図。
【図７】図７（Ａ）〜図７（Ｂ）は第１実施形態の転送データの合成方法と表示例を示す図。
【図８】図８（Ａ）はｎ＝３の場合の表示部の表示例を示す図。図８（Ｂ）は比較例のパーツデータのセットを示す図。図８（Ｃ）は第１実施形態のパーツデータのセットを示す図。
【図９】図９（Ａ）〜図９（Ｂ）は第１実施形態の転送データの合成方法と表示例を示す図。
【図１０】図１０（Ａ）〜図１０（Ｂ）は第１実施形態の転送データの合成方法と表示例を示す図。
【図１１】第１実施形態の転送データの合成方法の手順を示す図。
【図１２】図１２（Ａ）はｎ＝３の場合の表示部の表示例を示す図。図１２（Ｂ）は第１実施形態のパーツデータのセットを示す図。
【図１３】第１実施形態の転送データの合成方法の手順を示す図。
【図１４】第１実施形態の転送データの合成方法の手順を示す図。
【図１５】適用例の電子機器のブロック図。
【図１６】図１６（Ａ）は電子機器の一例である電子時計の図、図１６（Ｂ）は電子機器の一例である電子ペーパーの図。
【発明を実施するための形態】
【００３５】
１．第１実施形態
本発明の第１実施形態について図１〜図１４を参照して説明する。本実施形態の電気泳動表示装置はＶＲＡＭが生成するｍ回分の転送データに基づいて２ｍ階調の表示が可能であるが、以下の例ではｍ＝２として白色、ライトグレー、ダークグレー、黒色の４色を表示する場合について説明する。
【００３６】
１．１．電気泳動表示装置の構成
図１は、本実施形態のアクティブマトリックス方式の電気泳動表示装置の構成を示す図である。
【００３７】
電気泳動表示装置１０は表示部３を含む。そして、電気泳動表示装置１０は、表示部３を制御する制御部（コントローラー）６３、走査線駆動回路６１、データ線駆動回路６２、共通電源変調回路６４、記憶部１６０を含む。
【００３８】
走査線駆動回路６１、データ線駆動回路６２、共通電源変調回路６４、記憶部１６０は、それぞれ制御部６３と接続されている。制御部６３は、例えば同期信号等の入力制御信号１８に基づいて、これらを総合的に制御する。
【００３９】
記憶部１６０は、例えばＶＲＡＭと不揮発性メモリー（例えばフラッシュメモリー）とを含む。ＶＲＡＭは表示部３に表示させる画像のデータである転送データを生成し、不揮発性メモリーは転送データの要素のデータ（パーツデータ、背景データ）を記憶する。また、記憶部１６０には、その他に例えばＳＲＡＭ、ＤＲＡＭ等が含まれ、制御部６３によって制御に必要な情報が記憶されてもよい。なお、記憶部１６０と制御部６３（図１の領域５）の詳細については後述する。
【００４０】
表示部３には、走査線駆動回路６１から延びる複数の走査線６６と、データ線駆動回路６２から延びる複数のデータ線６８とが形成されており、これらの交差位置に対応して複数の画素４０が設けられている。
【００４１】
走査線駆動回路６１は、ｊ本の走査線６６（Ｙ１、Ｙ２、…、Ｙｊ）により各画素４０に接続されている。走査線駆動回路６１は、制御部６３の制御に従って１行目からｊ行目までの走査線６６を順次選択することで、画素４０に設けられた駆動用ＴＦＴ４８（図２参照）のオンタイミングを規定する選択信号を供給する。
【００４２】
データ線駆動回路６２は、ｋ本のデータ線６８（Ｘ１、Ｘ２、…、Ｘｋ）により各画素４０に接続されている。データ線駆動回路６２は、転送データに基づく制御部６３の制御に従って、画素４０のそれぞれに対応する１ビットについての画像信号を画素４０に供給する。なお、本実施形態では、画素データ「０」を規定する場合には、ローレベルの画像信号を画素４０に供給し、画素データ「１」を規定する場合には、ハイレベルの画像信号を画素４０に供給するものとする。
【００４３】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、制御部６３の制御に従って上記配線のそれぞれに供給する各種信号を生成する一方、これら各配線の電気的な接続及び切断（ハイインピーダンス化、Ｈｉ−Ｚ）を行う。
【００４４】
１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００４５】
画素４０には、駆動用ＴＦＴ（Thin Film Transistor）４８と、ラッチ回路７０と、スイッチ回路８０が設けられている。画素４０は、ラッチ回路７０により画像信号を電位として保持するＳＲＡＭ（Static Random Access Memory）方式の構成をとる。
【００４６】
駆動用ＴＦＴ４８は、Ｎ−ＭＯＳトランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。インバーター７０ｔ、７０ｆには、低電位電源線４９（Ｖｓｓ）と高電位電源線５０（Ｖｄｄ）から電源電圧が供給される。
【００４７】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ印加する電位を意味する。
【００４８】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、制御部によって、それぞれの画素４０の画素電極に対して印加する電位を制御することが可能である。
【００４９】
１．３．表示方式
本実施形態の電気泳動表示装置は、二粒子系マイクロカプセル型の電気泳動方式であるとする。分散液は無色透明、電気泳動粒子は白色又は黒色のものであるとすると、白色又は黒色の２色を基本色として少なくとも２色を表示できる。前記の通り、本実施形態の電気泳動表示装置は、白色、ライトグレー、ダークグレー、黒色の４色を表示するが、ここではまず白色、黒色を表示する場合について説明する。
【００５０】
図３（Ａ）は、本実施形態の電気泳動素子１３２の構成を示す図である。電気泳動素子１３２は素子基板１３０と対向基板１３１（図３（Ｂ）、図３（Ｃ）参照）との間に挟まれている。電気泳動素子１３２は、複数のマイクロカプセル１２０を配列して構成される。マイクロカプセル１２０は、例えば無色透明な分散液と、複数の白色粒子（電気泳動粒子）１２７と、複数の黒色粒子（電気泳動粒子）１２６とを封入している。本実施形態では、例えば白色粒子１２７は負に帯電しており、黒色粒子１２６は正に帯電しているとする。
【００５１】
図３（Ｂ）は、電気泳動表示装置の表示部の部分断面図である。素子基板１３０と対向基板１３１は、マイクロカプセル１２０を配列してなる電気泳動素子１３２を狭持している。表示部は、素子基板１３０の電気泳動素子１３２側に、複数の画素電極３５が形成された駆動電極層３５０を含む。図３（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００５２】
一方、対向基板１３１は透明基板であり、表示部において対向基板１３１側に画像表示がなされる。表示部３は、対向基板１３１の電気泳動素子１３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが印加される。
【００５３】
共通電極層３７０と駆動電極層３５０との間に設けられた電気泳動表示層３６０に電気泳動素子１３２が配置されており、電気泳動表示層３６０が表示領域となる。共通電極３７と画素電極（例えば、３５Ａ、３５Ｂ）との間の電位差に応じて、画素毎に所望の表示色を表示させることができる。
【００５４】
図３（Ｂ）では、共通電極側電位Ｖｃｏｍが画素４０Ａの画素電極の電位Ｖａよりも高電位である。このとき、負に帯電した白色粒子１２７が共通電極３７側に引き寄せられ、正に帯電した黒色粒子１２６が画素電極３５Ａ側に引き寄せられるため、画素４０Ａは白色を表示していると視認される。
【００５５】
図３（Ｃ）では、共通電極側電位Ｖｃｏｍが画素４０Ａの画素電極の電位Ｖａよりも低電位である。このときは逆に、正に帯電した黒色粒子１２６が共通電極３７側に引き寄せられ、負に帯電した白色粒子１２７が画素電極３５Ａ側に引き寄せられるため、画素４０Ａは黒色を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに電位が変化する。
【００５６】
ここで、図３（Ｂ）、図３（Ｃ）の画素４０Ａの例では、それぞれ、白色粒子１２７、黒色粒子１２６が全て共通電極３７側に引き寄せられている状態（いわゆる飽和状態）を表している。しかし、飽和状態にして基本色（白色、黒色）を表示するだけでなく、例えば反対方向の電界を適当な時間だけ印加することで中間色（ライトグレー、ダークグレー）を表示することも可能である。
【００５７】
具体的には、駆動パルスに基づく電圧を印加する時間を２回に分けて、１回目の印加電界と２回目の印加電界とが独立であるようにし、印加電界の方向の組み合わせによって、電気泳動表示装置に中間色も含む４階調表示ができる。
【００５８】
図４は、ｍ＝２の場合、すなわち４階調表示を行う場合の印加電界の方向の組み合わせを説明するテーブルである。黒色の表示を行うには、１回目および２回目で「黒」とする必要がある。図４の「黒」は、黒色表示を行う方向の電界を印加すること（図３（Ｃ）参照）を意味する。
【００５９】
また、白色の表示を行うには、１回目および２回目で「白」とする必要がある。図４の「白」は、白色表示を行う方向の電界を印加すること（図３（Ｂ）参照）を意味する。
【００６０】
そして、１回目で「白」とし、２回目で「黒」とすると、ダークグレーが表示される。逆に、１回目で「黒」とし、２回目で「白」とすると、ライトグレーが表示される。中間色（ダークグレー、ライトグレー）を表示する場合に、電界を印加する順番で表示色が異なるのは、２回目の印加電界による電気泳動粒子の移動の方が、表示色に強く影響するためである。
【００６１】
このとき、制御部は１回目の「白」又は「黒」の電界印加を転送データ（以下、１回目の転送データ）に基づいて行う。そして、制御部は２回目の「白」又は「黒」の電界印加を別の転送データ（以下、２回目の転送データ）に基づいて行う。つまり、２ｍ階調（この例ではｍ＝２）を表示する場合には、ＶＲＡＭで生成されたｍ回分の転送データを順に制御部が受け取り、受け取った転送データに基づいて駆動パルスを制御する駆動制御信号を生成する。ここで、ＶＲＡＭは本実施形態のように物理的に１個であってもよいが、これに限るものではない。例えば、転送データをそれぞれ生成する、物理的に異なる複数個のＶＲＡＭで構成されていてもよい。また、ＶＲＡＭは論理的に異なる複数個の記憶領域を含み、それぞれの記憶領域で転送データを生成してもよい。ここで、複数個とは、ｍ≧２の場合にｍ個であってもよい。なお、本実施形態では、物理的に１個のＶＲＡＭが、時分割でｍ回分の転送データを生成するものとする。このとき、転送データを上書きしながら更新するので、ＶＲＡＭのサイズを小さくすることができる。
【００６２】
本実施形態の制御部は、不揮発性メモリーに保存された転送データの要素のデータ（パーツデータ、背景データ）をＶＲＡＭ上で合成させて１回目、２回目の転送データを生成させる。このとき、表示色に応じてパーツデータ、背景データを適当に選択し、所定の順番で合成させる必要がある。
【００６３】
図５は、本実施形態における制御部（コントローラー）６３、不揮発性メモリー（フラッシュメモリー）２０、ＶＲＡＭ３０を含む電気泳動表示装置の一部のブロック図である。図５のブロック図は、図１の領域５の部分に対応する。
【００６４】
図５のＶＲＡＭ３０で転送データが生成されて、１〜ｍ回目の転送データ１６が出力される。ここではｍ＝２とし、以下では１〜２回目の転送データ１６が出力されるものとして説明する。
【００６５】
制御部６３は、例えば同期信号等の入力制御信号１８を受け取り、ＶＲＡＭ３０に転送データの合成を行わせる。このとき、例えばアドレス等の制御信号１５によって、不揮発性メモリー２０から選択したパーツデータ、背景データをＶＲＡＭ３０に出力させる。制御部６３は、制御信号（図外）によって、ＶＲＡＭ３０に合成を行わせて、転送データ１６として１回目の転送データ、２回目の転送データをそれぞれ受け取る。そして、１回目の転送データ、２回目の転送データに基づいて、駆動パルスを制御する信号（駆動制御信号）１９を走査線駆動回路（図１参照）等に出力する。
【００６６】
ここで、不揮発性メモリー２０、ＶＲＡＭ３０は、図１の記憶部１６０に対応する。また、ＶＲＡＭはＳＲＡＭ、ＤＲＡＭ、その他の種類のメモリーであってもよく、不揮発性メモリー２０は、本実施形態のようにフラッシュメモリーであってもよいし、例えばマスクＲＯＭ等であってもよい。
【００６７】
ここで、４階調表示を含む多階調表示の場合には、複数の領域を含むパーツの表示色の組み合わせが多くなる。その結果、不揮発性メモリー２０の使用量が増大して、コストも上昇するという問題が生じ得る。また、背景にパーツを合成する際に、最初にパーツの全領域を単一色で表示したパーツデータ（以下、単一色パーツデータ）が使用されることがある。この場合、パーツの数が増えると省略できない単一色パーツデータも増えることになり、不揮発性メモリー２０の使用量が増大する一因にもなっていた。
【００６８】
したがって、不揮発性メモリー２０の使用量をできるだけ抑えつつ、多階調表示を可能にする転送データの合成方法、および少ないパーツデータのセットが求められていた。以下に、前記の問題を有する比較例、前記の問題を解決する本実施形態の順に、転送データの合成方法の具体例を示す。
【００６９】
１．４．比較例における転送データの合成方法
図６（Ａ）〜図６（Ｂ）は比較例の転送データの合成方法と表示例を示す図である。比較例の電気泳動表示装置の構成も図１〜図５と同じであるが、転送データの合成において単一色パーツデータを使用する。なお、パーツの領域数は２である（ｎ＝２）。
【００７０】
図６（Ａ）では、不揮発性メモリー２０に保存されている背景データＢ００、Ｂ０１とパーツデータＰ００、Ｐ０１、Ｐ０２、中間データ３０Ｚ、３０Ｗ、１回目の転送データ３０Ａ、および２回目の転送データ３０Ｂを視覚的に示している。
【００７１】
ここで、「視覚的に示す」とは、これらのデータの第１の値（例えば０）である部分を第１色（例えば白色）で、第２の値（例えば１）である部分を第２色（例えば黒色）で表示し、表示部における画像と同じように２次元で表すことをいう。
【００７２】
なお、１回目の転送データ３０Ａは、図５のＶＲＡＭ３０で生成された１回目の転送データを視覚的に示したものである。また、２回目の転送データ３０Ｂは、図５のＶＲＡＭ３０で生成された２回目の転送データを視覚的に示したものである。
【００７３】
そして、中間データ３０Ｚ、３０Ｗは、それぞれ１回目の転送データ３０Ａ、２回目の転送データ３０Ｂの前に合成された、最終でない転送データを視覚的に示したものである。
【００７４】
図６（Ａ）は、図６（Ｂ）の最下段の画像を表示部３に表示するための転送データの合成方法である。図６（Ｂ）の最下段の画像のように、グラデーションになった背景（表示領域３Ａ〜３Ｄ）の前に、２つの領域（ｎ＝２）をもつ菱形のパーツが表示されている。このとき、１つの領域Ｐａの色はダークグレーであり、他方の表示領域Ｐｂの色はライトグレーである。
【００７５】
比較例の電気泳動表示装置の制御部は、図６（Ａ）のように単一色パーツデータＰ００を最初に選択して、背景データＢ００、Ｂ０１と合成させる。単一色パーツデータとは、パーツの全領域（２つの領域）を単一色（白色）で表示したパーツデータである。
【００７６】
比較例では、単一色パーツデータを含むパーツデータＰ００〜Ｐ０２の白色部分と黒色部分と、合成における処理とは１対１に対応し、固定化されている。ここで、合成における処理とは、透過（背景データ又は中間データの透過）、白色表示、黒色表示である。
【００７７】
比較例では、単一色パーツデータＰ００の黒色部分を透過に、白色部分を白色表示に対応させている。したがって、背景データＢ００に単一色パーツデータＰ００を合成した中間データ３０Ｚ、および、背景データＢ０１に単一色パーツデータＰ００を合成した中間データ３０Ｗが得られる。
【００７８】
そして、比較例では、パーツデータＰ０１およびＰ０２の黒色部分を黒色表示に、白色部分を透過に対応させている。したがって、中間データ３０ＺにパーツデータＰ０１を合成した１回目の転送データ３０Ａ、中間データ３０ＷにパーツデータＰ０２を合成した２回目の転送データ３０Ｂが得られる。
【００７９】
そして、比較例の制御部は、１回目の電界の印加（図４参照）を制御する駆動制御信号を、１回目の転送データ３０Ａに基づいて生成する。ここで、１回目の転送データ３０Ａの白色部分は「白」（図４参照）となるように電界が印加され、１回目の転送データ３０Ａの黒色部分は「黒」（図４参照）となるように電界が印加される。
【００８０】
そして、最初に全面が白色だった表示部３に、１回目の転送データ３０Ａの画像の黒色部分に対応した中間色の画像が表示される（図６（Ｂ）の中段の表示領域３Ｂ、３Ｄ、および領域Ｐｂ）。
【００８１】
次に、比較例の制御部は、２回目の電界の印加（図４参照）を制御する駆動制御信号を、２回目の転送データ３０Ｂに基づいて生成する。そして、図４の表に従って、表示部３に４階調の画像が表示される。具体的には、表示領域３Ａは白色に、表示領域３Ｂ、領域Ｐｂはライトグレーに、表示領域３Ｃ、領域Ｐａはダークグレーに、表示領域３Ｄは黒色になる。
【００８２】
このように、ＶＲＡＭ３０（図５参照）で１回目の転送データおよび２回目の転送データを生成すれば、所望の表示を行うことができる。しかし、比較例の転送データの合成方法では、必ず単一色パーツデータが必要である。そのため、パーツの数が増えると省略できない単一色パーツデータも増え、不揮発性メモリー２０の使用量が増大することになる。
【００８３】
１．５．本実施形態における転送データの合成方法
１．５．１．領域数ｎ＝２の場合
図７（Ａ）〜図７（Ｂ）は本実施形態の転送データの合成方法と表示例を示す図である。比較例では単一色パーツデータを使用していたが、本実施形態では不要である。なお、パーツの領域数は比較例と同じ２である（ｎ＝２）。また、図６（Ａ）〜図６（Ｂ）と同じ要素には同じ符号を付しており説明を省略する。
【００８４】
本実施形態の不揮発性メモリー２０は、パーツの領域数と同じ２つのパーツデータＰ０１、Ｐ０２を含むが、単一色パーツデータは含まない。また、パーツデータＰ０１、Ｐ０２は互いに異なる。なお、背景データについては比較例と同じもの（Ｂ００、Ｂ０１）が含まれている。
【００８５】
本実施形態の電気泳動表示装置の制御部は、パーツデータＰ０１、Ｐ０２の白色部分を透過に割り当て、パーツデータＰ０１、Ｐ０２の黒色部分を白色表示又は黒色表示に割り当てる。ここで、パーツデータＰ０１、Ｐ０２におけるパーツの背景は白色部分に含まれ、透過が割り当てられている。パーツデータＰ０１、Ｐ０２の黒色部分の割り当ては、合成のたびに柔軟に変化する。
【００８６】
図７（Ａ）の例では、まず、パーツデータＰ０１およびＰ０２の黒色部分を黒色表示に、白色部分を透過に対応させている。したがって、背景データＢ００にパーツデータＰ０１を合成した中間データ３０Ｘ、背景データＢ０１にパーツデータＰ０２を合成した中間データ３０Ｙが得られる。
【００８７】
そして、次の合成では、パーツデータＰ０１およびＰ０２の黒色部分を白色表示に、白色部分を透過に対応させている。したがって、中間データ３０ＸにパーツデータＰ０２を合成した１回目の転送データ３０Ａ、中間データ３０ＹにパーツデータＰ０１を合成した２回目の転送データ３０Ｂが得られる。
【００８８】
図７（Ａ）のように本実施形態でも、比較例（図６（Ａ））の場合と同じ１回目の転送データ３０Ａ、２回目の転送データ３０Ｂが得られている。よって、図７（Ｂ）は比較例の図６（Ｂ）と全く同じであり、所望の画像（図７（Ｂ）の最下段）を表示部３に表示することができる。
【００８９】
このように、本実施形態では、パーツデータＰ０１およびＰ０２の黒色部分を白色表示とするか黒色表示とするかを、柔軟に合成の度に変更できるので、単一色パーツデータが不要になり、不揮発性メモリー２０の使用量を減らすことができる。
【００９０】
なお、１回目の転送データ３０Ａ、２回目の転送データ３０Ｂを生成するのに、合成の回数はそれぞれ２回である。つまり、パーツデータの数が減っても合成回数が比較例に比べて増加することもない。
【００９１】
また、本実施形態では、１回目の転送データ３０Ａと２回目の転送データ３０Ｂの生成は、ＶＲＡＭ３０（図５参照）において時分割で行われる。よって、転送データ毎に処理（白色表示、黒色表示）の割り当てを変更できる。例えば、中間データ３０Ｘを得る場合に、パーツデータの黒色部分に黒色表示を割り当て、中間データ３０Ｙを得る場合には、パーツデータの黒色部分に白色表示を割り当てることも可能である。
【００９２】
１．５．２．領域数ｎ＝３の場合
本実施形態の転送データの合成方法は、パーツの領域ｎが増加した場合に、不揮発性メモリーの使用量を減らす効果がさらに高まる。
【００９３】
図８（Ａ）は、３つの領域Ｐａ、Ｐｂ、Ｐｃからなるパーツを表示部３に表示する例を表している。左上の例では（Ｐａ，Ｐｂ，Ｐｃ）＝（Ｂ，Ｄ，Ｌ）、右上の例では（Ｐａ，Ｐｂ，Ｐｃ）＝（Ｄ，Ｌ，Ｗ）、左下の例では（Ｐａ，Ｐｂ，Ｐｃ）＝（Ｄ，Ｗ，Ｗ）、右下の例では（Ｐａ，Ｐｂ，Ｐｃ）＝（Ｄ，Ｌ，Ｌ）のように表示されている。
【００９４】
ここで、上記のＢ、Ｄ、Ｌ、Ｗは図４の通り、それぞれ黒、ダークグレー、ライトグレー、白を意味する。このように、４階調表示を行う電気泳動表示装置では、３つの領域が様々な色の組み合わせで表示されることがあり得る。
【００９５】
なお、図８（Ａ）では、見易さのために背景を斜線にしているが、実際には例えば図６のようなグラデーションであるとする。
【００９６】
図８（Ｂ）は、図８（Ａ）の表示を行う場合に必要となる、比較例のパーツデータＰ１０〜Ｐ１５を表す。例えば、図８（Ａ）の左上の表示例では、パーツデータＰ１０、Ｐ１２、Ｐ１３が必要になる。
【００９７】
また、図８（Ａ）の右上の表示例では、パーツデータＰ１０、Ｐ１４、Ｐ１５が必要になる。そして、図８（Ａ）の右下の表示例では、パーツデータＰ１０、Ｐ１１、Ｐ１４が必要になる。
【００９８】
このように、比較例の転送データの合成方法は、ｎ＝３の場合には図６（Ａ）の場合（ｎ＝２）に比べて、更に不揮発性メモリーの使用量が増える。
【００９９】
一方、図８（Ｃ）は、本実施形態の転送データの合成方法で必要になるパーツデータＰ１１〜Ｐ１３を表す。これらのパーツデータは、２つの領域が白色（第1の値（０）に対応）であり、残りの領域を黒色（第２の値（１）に対応）とする。
【０１００】
本実施形態の不揮発性メモリーには、パーツの領域数と同じ３つのパーツデータだけが保存される。そのため、比較例に比べて、大きく不揮発性メモリーの使用量を減らすことができる。
【０１０１】
図９（Ａ）〜図９（Ｂ）は本実施形態の転送データの合成方法と表示例を示す図である。ここでは、図８（Ａ）の左上の表示例を行う場合を示す。また、図６（Ａ）〜図７（Ｂ）と同じ要素には同じ符号を付しており説明を省略する。
【０１０２】
図９（Ａ）のように、不揮発性メモリー２０には領域数ｎと同じ３つのパーツデータＰ１１、Ｐ１２、Ｐ１３が用意されている。この表示例では、パーツデータＰ１２、Ｐ１３が使用される。
【０１０３】
まず、パーツデータＰ１２およびＰ１３の黒色部分を白色表示に、白色部分を透過に対応させる。すると、背景データＢ００にパーツデータＰ１３を合成した中間データ３０Ｘ、背景データＢ０１にパーツデータＰ１２を合成した中間データ３０Ｙが得られる。
【０１０４】
そして、次の合成では、パーツデータＰ１２およびＰ１３の黒色部分を黒色表示に、白色部分を透過に対応させている。したがって、中間データ３０ＸにパーツデータＰ１２を合成した１回目の転送データ３０Ａ、中間データ３０ＹにパーツデータＰ１３を合成した２回目の転送データ３０Ｂが得られる。なお、データの種類別にまとめて説明したが、本実施形態では中間データ３０Ｘ、１回目の転送データ３０Ａ、中間データ３０Ｙ、２回目の転送データ３０Ｂの順に、時分割でデータが生成されることになる。
【０１０５】
そして、図９（Ｂ）のように、１回目の転送データ３０Ａ、２回目の転送データ３０Ｂを順に用いて駆動制御（駆動制御信号に基づく駆動パルスの制御）を行うと、図９（Ｂ）の最下段の画像が表示される。これは、図８（Ａ）の左上の表示例と同じである。
【０１０６】
図１０（Ａ）〜図１０（Ｂ）は本実施形態の転送データの合成方法と表示例を示す図である。ここでは、図８（Ａ）の左下の表示例を行う場合を示す。また、図６（Ａ）〜図７（Ｂ）、図９（Ａ）〜図９（Ｂ）と同じ要素には同じ符号を付しており説明を省略する。
【０１０７】
図１０（Ａ）も、不揮発性メモリー２０には領域数ｎと同じ３つのパーツデータＰ１１、Ｐ１２、Ｐ１３が用意されている。この表示例では、パーツデータＰ１１、Ｐ１２が使用される。
【０１０８】
１回目の転送データ３０Ａについての合成は次のように行われる。まず、パーツデータＰ１１の黒色部分を白色表示に、白色部分を透過に対応させる。すると、背景データＢ００にパーツデータＰ１１を合成した中間データ３０Ｘが得られる。
【０１０９】
そして、パーツデータＰ１２の黒色部分を白色表示に、白色部分を透過に対応させる。すると、中間データ３０ＸにパーツデータＰ１２を合成した１回目の転送データ３０Ａが得られる。
【０１１０】
一方、２回目の転送データ３０Ｂについての合成は次のように行われる。まず、パーツデータＰ１２の黒色部分を黒色表示に、白色部分を透過に対応させる。すると、背景データＢ０１にパーツデータＰ１２を合成した中間データ３０Ｙが得られる。
【０１１１】
そして、パーツデータＰ１１の黒色部分を白色表示に、白色部分を透過に対応させる。すると、中間データ３０ＹにパーツデータＰ１１を合成した２回目の転送データ３０Ｂが得られる。
【０１１２】
その後、図１０（Ｂ）のように、１回目の転送データ３０Ａ、２回目の転送データ３０Ｂを順に用いて駆動制御を行うと、図１０（Ｂ）の最下段の画像が表示される。これは、図８（Ａ）の左下の表示例と同じである。
【０１１３】
このように、本実施形態の転送データの合成方法では、ｎが３以上の場合、領域数ｎと同じパーツデータだけを用意して、そのうちのｎ−１個のパーツデータを使用して、ｎ−１回の合成で転送データを生成することが可能である。
【０１１４】
図１１は、転送データの合成方法の手順を示す図である。図中のパーツは、図８（Ｃ）の３つのパーツデータＰ１１〜Ｐ１３を指し、領域Ｐａ、Ｐｂ、Ｐｃは図８（Ａ）の３つの領域を指す。また、色を表すＢ、Ｄ、Ｌ、Ｗは図４と同じである。なお、合成方法の「黒」「白」は、それぞれ、パーツデータの黒色部分を「黒色表示」に割り当てるか、「白色表示」に割り当てるかを表す。
【０１１５】
図１１の上の太線部分の（Ｐａ，Ｐｂ，Ｐｃ）＝（Ｂ，Ｄ，Ｌ）は、図９（Ａ）〜図９（Ｂ）の例を表している。例えば、１回目の転送データ３０Ａの生成時には、まずパーツデータＰ１３の黒色部分を白色表示に対応させる。その後、パーツデータＰ１２の黒色部分を黒色表示に対応させる。これは、図９（Ａ）に示した手順の通りである。なお、全てのパーツデータで、白色部分は透過に割り当てられている。
【０１１６】
図１１の下の太線部分の（Ｐａ，Ｐｂ，Ｐｃ）＝（Ｄ，Ｗ，Ｗ）は、図１０（Ａ）〜図１０（Ｂ）の例を表している。例えば、２回目の転送データ３０Ｂの生成時には、まずパーツデータＰ１１の黒色部分を白色表示に対応させる。その後、パーツデータＰ１２の黒色部分を白色表示に対応させる。これは、図１０（Ａ）に示した手順の通りである。
【０１１７】
図１１の表が示すように、本実施形態の転送データの合成方法を用いることで、電気泳動表示装置において、パーツの３つの領域を様々な色の組み合わせで表示することが可能である。このとき、不揮発性メモリーに用意するパーツデータは３つでよく、１つの転送データを生成するのに２回の合成を行うだけでよい。
【０１１８】
１．５．３．領域数ｎ＝４の場合
図１２（Ａ）は、４つの領域Ｐａ、Ｐｂ、Ｐｃ、Ｐｄからなるパーツを表示部３に表示する例を表している。なお、図８（Ａ）と同様に背景は斜線で表している。また、図８（Ａ）と同じ要素には同じ符号を付しており説明を省略する。
【０１１９】
左の例では（Ｐａ，Ｐｂ，Ｐｃ，Ｐｄ）＝（Ｂ，Ｄ，Ｌ，Ｗ）、右の例では（Ｐａ，Ｐｂ，Ｐｃ，Ｐｄ）＝（Ｌ，Ｌ，Ｌ，Ｌ）である。
【０１２０】
しかし、これらを含む様々な組み合わせの表示についても、図１２（Ｂ）の４つのパーツデータＰ２１、Ｐ２２、Ｐ２３、Ｐ２４を用意するだけで対応が可能である。これらのパーツデータは、２つの領域が白色（第1の値（０）に対応）であり、残りの領域を黒色（第２の値（１）に対応）とする。
【０１２１】
図１３〜図１４は、転送データの合成方法の手順を示す図である（ｎ＝４）。図中のパーツは、図１２（Ｂ）の４つのパーツデータＰ２１〜Ｐ２４を指し、領域Ｐａ、Ｐｂ、Ｐｃ、Ｐｄは図１２（Ａ）の４つの領域を指す。その他の表記については、図１１と同じであり説明を省略する。
【０１２２】
例えば、図１３の太線部分の（Ｐａ，Ｐｂ，Ｐｃ，Ｐｄ）＝（Ｂ，Ｄ，Ｌ，Ｗ）は、図１２（Ａ）の左の例を表している。図１３の表記にしたがって、パーツデータＰ２１、Ｐ２３、Ｐ２４を合成に用いて、１回目の転送データを生成できる。また、パーツデータＰ２２、Ｐ２３、Ｐ２４を合成に用いて、２回目の転送データを生成できる。
【０１２３】
また、例えば、図１４の太線部分の（Ｐａ，Ｐｂ，Ｐｃ，Ｐｄ）＝（Ｌ，Ｌ，Ｌ，Ｌ）は、図１２（Ａ）の右の例を表している。図１４の表記にしたがって、パーツデータＰ２１、Ｐ２３、Ｐ２４を合成に用いて、１回目の転送データ、および２回目の転送データを生成できる。
【０１２４】
このように、本実施形態のパーツの領域数とおなじｎ種類パーツデータのセットだけで、領域毎に様々な色を表示できる。このとき、ｎ種類のパーツデータを不揮発性メモリーに保存するだけでよいので、メモリーの使用量も抑えることができる。
【０１２５】
２．適用例
本発明の適用例について図１５〜図１６（Ｂ）を参照して説明する。なお、第１実施形態と同様の構成については同一符号を付して説明を省略する。第１実施形態の電気泳動表示装置は、例えば背景に重ねて、中間色を用いる装飾的な数字によって時刻表示を行う電子時計などの電子機器に適用できる。
【０１２６】
２．１．電子機器のブロック図
図１５は適用例に係る電子機器１のブロック図である。電子機器１は、ＣＰＵ２、入力部４、記憶部５、電気泳動表示装置１０を含む。電気泳動表示装置１０は、第１実施形態の電気泳動表示装置であって、様々な画像を表示する表示部３を含む。
【０１２７】
ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。
【０１２８】
入力部４は、例えば電子機器１の使用者からの指示を受け取り、指示に応じた信号を他のブロックに出力してもよい。
【０１２９】
記憶部５は、例えばＤＲＡＭやＳＲＡＭなどのメモリーであってもよいし、ＲＯＭを含んでいてもよい。ＣＰＵ２が使用するプログラムは、例えば記憶部５が含むＲＯＭに書かれていてもよい。
【０１３０】
表示部３は、電気泳動表示装置１０の一部であって、例えば時刻を表示したり、文字、などを表示したりしてもよい。
【０１３１】
電子機器１は、第１実施形態の電気泳動表示装置１０を含むことで、パーツの領域数とおなじｎ種類パーツデータのセットだけで、領域毎に様々な色を表示できる。このとき、メモリーの使用量も抑えることができるので、表現力を損なうことなくコストも抑えられる。
【０１３２】
２．２．電子機器の具体例
図１６（Ａ）〜図１６（Ｂ）に、電子機器の具体例を示す。図１６（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面には、電気泳動表示装置１０の表示部３（図１５参照）である表示部１００４が設けられ、時刻表示１００５を行っている。時刻表示は中間色の表示が可能であり、図外の背景表示を含んでいる。時計ケースの側面には、２つの操作ボタン１０１１と１０１２とが設けられ、入力部４（図１５参照）として機能する。
【０１３３】
また、例えば図１６（Ｂ）は電子機器の１つである電子ペーパー１１００の斜視図である。電子ペーパー１１００は可撓性を有し、電気泳動表示装置１０の表示部３（図１５参照）である表示領域１１０１と、本体１１０２とを備えている。例えば、表示領域１１０１に、背景画面に重ねて、装飾的な文字により文章が表示される、といった使い方が可能になる。
【０１３４】
３．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１３５】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１３６】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１３７】
１…電子機器、２…ＣＰＵ、３…表示部、３Ａ，３Ｂ，３Ｃ，３Ｄ…表示領域、４…入力部、５…記憶部、１０…電気泳動表示装置、１５…制御信号、１６…転送データ、１８…入力制御信号、１９…駆動制御信号、２０…不揮発性メモリー（フラッシュメモリー）、３０…ＶＲＡＭ、３０Ａ，３０Ｂ…転送データ、３０Ｘ，３０Ｙ，３０Ｚ，３０Ｗ…中間データ、３５，３５Ａ，３５Ｂ…画素電極、３７…共通電極、４０，４０Ａ，４０Ｂ…画素、４８…駆動用ＴＦＴ（Thin Film Transistor）、４９…低電位電源線（Ｖｓｓ）、５０…高電位電源線（Ｖｄｄ）、５５…共通電極配線（Ｖｃｏｍ）、６１…走査線駆動回路、６２…データ線駆動回路、６３…制御部（コントローラー）、６４…共通電源変調回路、６６…走査線、６８…データ線、７０…ラッチ回路、８０…スイッチ回路、９１…第１のパルス信号線（Ｓ１）、９２…第２のパルス信号線（Ｓ２）、１２０…マイクロカプセル、１２６…黒色粒子、１２７…白色粒子、１３０…素子基板、１３１…対向基板、１３２…電気泳動素子、１６０…記憶部、３５０…駆動電極層、３６０…電気泳動表示層、３７０…共通電極層、１０００…腕時計、１００２…時計ケース、１００３…バンド、１００４…表示部、１００５…時刻表示、１０１１…操作ボタン、１０１２…操作ボタン、１１００…電子ペーパー、１１０１…表示領域、１１０２…本体、Ｂ００，Ｂ０１…背景データ、Ｐ００，Ｐ０１，Ｐ０２，Ｐ１０，Ｐ１１，Ｐ１２，Ｐ１３，Ｐ１４，Ｐ１５，Ｐ２１，Ｐ２２，Ｐ２３，Ｐ２４…パーツデータ、Ｐａ，Ｐｂ，Ｐｃ，Ｐｄ…領域
【図１】
2012220863.tif 000003
【図２】
2012220863.tif 000004
【図３】
2012220863.tif 000005
【図４】
2012220863.tif 000006
【図５】
2012220863.tif 000007
【図１１】
2012220863.tif 000008
【図１３】
2012220863.tif 000009
【図１４】
2012220863.tif 000010
【図１５】
2012220863.tif 000011
【図１６】
2012220863.tif 000012
【図６】
2012220863.tif 000013
【図７】
2012220863.tif 000014
【図８】
2012220863.tif 000015
【図９】
2012220863.tif 000016
【図１０】
2012220863.tif 000017
【図１２】
2012220863.tif 000018